(57)【特許請求の範囲】
【請求項１】
ソフトウエアモジュールがあらかじめインストールされているパーソナルコンピュータと携帯電話と最新ソフトウエアモジュール提供センターとをネットワークにより接続したソフトウエアモジュールの自動更新システムであって、
前記携帯電話は前記最新ソフトウエアモジュール提供センターに対して前記パーソナルコンピュータの装置型番と装置号機と前記パーソナルコンピュータの前記ネットワーク上での番号を送信し、
前記最新ソフトウエアモジュール提供センターは、前記パーソナルコンピュータの装置型番と装置号機と出荷時点でパーソナルコンピュータにインストールしたソフトウエアモジュールのバージョン情報を格納する出荷装置データベースと、メーカが出荷するパーソナルコンピュータにインストールされる最新のソフトウェアモジュールのバージョン情報を記録する最新モジュールデータベースを有し、
前記携帯電話から前記装置型番と前記装置号機を受信すると出荷時点の前記ソフトウエアモジュールのバージョンを特定し、最新モジュールデータベースのバージョンと比較して必要により最新バージョンのソフトウエアモジュールを前記番号へ送信し、前記パーソナルコンピュータ内の前記ソフトウエアモジュールを前記最新バージョンのソフトウエアモジュールに更新することを特徴とする自動更新システム。
【請求項２】
ソフトウエアモジュールがあらかじめインストールされているパーソナルコンピュータと携帯電話と最新ソフトウエアモジュール提供センターとをネットワークにより接続したソフトウエアモジュールの自動更新方法であって、
前記携帯電話が、前記最新ソフトウエアモジュール提供センターに対して前記パーソナルコンピュータの装置型番と装置号機と前記パーソナルコンピュータの前記ネットワーク上での番号を送信する第一のステップと、
前記最新ソフトウエアモジュール提供センターが、前記装置型番と前記装置号機を受信すると前記パーソナルコンピュータの装置型番と装置号機と出荷時点でパーソナルコンピュータにインストールしたソフトウエアモジュールのバージョン情報を格納する出荷装置データベースより前記ソフトウエアモジュールのバージョンを特定する第二のステップと、メーカが出荷するパーソナルコンピュータにインストールされる最新のソフトウェアモジュールのバージョン情報を記録する最新モジュールデータベースのバージョンと比較して必要により最新バージョンのソフトウエアモジュールを前記番号へ送信する第三のステップと、前記パーソナルコンピュータ内の前記ソフトウエアモジュールを前記最新バージョンのソフトウエアモジュールに更新する第四のステップからなることを特徴とする自動更新方法。
【請求項３】
ソフトウエアモジュールがあらかじめインストールされているパーソナルコンピュータと携帯電話とをネットワークにより接続した最新ソフトウエアモジュール提供センターであって、
前記携帯電話から前記パーソナルコンピュータの装置型番と装置号機と前記パーソナルコンピュータの前記ネットワーク上での番号を受信する第一の手段と、前記装置型番と前記装置号機から前記パーソナルコンピュータの装置型番と装置号機と出荷時点でパーソナルコンピュータにインストールしたソフトウエアモジュールのバージョン情報を格納する出荷装置データベースにより出荷時点の前記ソフトウエアモジュールのバージョンを特定する第二の手段と、メーカが出荷するパーソナルコンピュータにインストールされる最新のソフトウェアモジュールのバージョン情報を記録する最新モジュールデータベースのバージョンと比較して必要により最新バージョンのソフトウエアモジュールを前記番号へ送信する第三の手段と、前記パーソナルコンピュータ内の前記ソフトウエアモジュールを前記最新バージョンのソフトウエアモジュールに更新する第四の手段からなることを特徴とする最新ソフトウエアモジュール提供センター。
【請求項４】
ソフトウエアモジュールがあらかじめインストールされているパーソナルコンピュータと携帯電話と最新ソフトウエアモジュール提供センターをネットワークにより接続したシステムにおける前記ソフトウエアモジュールの自動更新方法であって、
前記最新ソフトウエアモジュール提供センターが、前記携帯電話から前記パーソナルコンピュータの装置型番と装置号機と前記パーソナルコンピュータの前記ネットワーク上での番号を受信する第一のステップと、前記装置型番と前記装置号機から前記パーソナルコンピュータの装置型番と装置号機と出荷時点でパーソナルコンピュータにインストールしたソフトウエアモジュールのバージョン情報を格納する出荷装置データベースにより出荷時点の前記ソフトウエアモジュールのバージョンを特定する第二のステップと、メーカが出荷するパーソナルコンピュータにインストールされる最新のソフトウェアモジュールのバージョン情報を記録する最新モジュールデータベースのバージョンと比較して必要により最新バージョンのソフトウエアモジュールを前記番号へ送信する第三のステップと、前記パーソナルコンピュータ内の前記ソフトウエアモジュールを前記最新バージョンのソフトウエアモジュールに更新する第四のステップからなることを特徴とする自動更新方法。
【請求項５】
ソフトウエアモジュールがあらかじめインストールされているパーソナルコンピュータと携帯電話と最新ソフトウエアモジュール提供センターをネットワークにより接続したシステムにおける前記ソフトウエアモジュールの自動更新プログラムであって、
前記携帯電話から前記パーソナルコンピュータの装置型番と装置号機と前記パーソナルコンピュータの前記ネットワーク上での番号を受信する第一の処理と、前記装置型番と前記装置号機から前記パーソナルコンピュータの装置型番と装置号機と出荷時点でパーソナルコンピュータにインストールしたソフトウエアモジュールのバージョン情報を格納する出荷装置データベースにより出荷時点の前記ソフトウエアモジュールのバージョンを特定する第二の処理と、メーカが出荷するパーソナルコンピュータにインストールされる最新のソフトウェアモジュールのバージョン情報を記録する最新モジュールデータベースのバージョンと比較して必要により最新バージョンのソフトウエアモジュールを前記番号へ送信する第三の処理からなることを特徴とする自動更新プログラム。
【発明の詳細な説明】
【０００１】
【発明の属する技術分野】
本発明はパーソナルコンピュータのソフトウエアモジュールの自動更新に関し、特にパーソナルコンピュータを用いることなく携帯電話によりソフトウエアモジュールを更新するシステム、方法とプログラムに関する。
【０００２】
【従来の技術】
ユーザがパソコンを購入するとまず利用目的別にパソコンを使用する。その使用中に何らかのソフトウェアの不具合が発生すると、インターネットを介してメーカのホームページから修正された最新モジュールのダウンロードを実行しモジュールの適用を行う。また新たな機能サポートの有無を確認し同様にダウンロードを行い最新モジュールの適用を行う。
【０００３】
図１１は、従来のソフトウェアの最新モジュールの適用システムの構成を示すブロック図である。図１１を参照すると、従来のソフトウェアの最新モジュールの適用方法は、パソコン１１０と、最新モジュールの格納されたメーカのＷＥＢサーバ１２０と、それらを相互に接続したインターネットのネットワーク２００から構成されている。パソコン１１０で必要となった最新モジュールを、ユーザはネットワーク２００を介してメーカのＷＥＢサーバ１２０へアクセスして該当のモジュールを探し出しダウンロードを行い修正されたモジュールの適用を行わなければならなかった。
【０００４】
特開平５−２７４１２３号公報「ソフトウエアツールのインスタレーション方法」では、センタ機器に各ローカル機器で稼動するソフトウエアツール管理用の台帳を設け、あるローカル機器からダウンロードの要求があると台帳をチェックし要求されたソフトウエアツールがそのローカル機器で使用可能か判断し、最新バージョンを送出するシステムが開示されている。
【０００５】
【発明が解決しようとする課題】
従来の方法では、パソコン１１０で必要となった最新モジュールを、ユーザはネットワーク２００を介してメーカのＷＥＢサーバ１２０へアクセスして該当のモジュールを探し出しダウンロードを行い修正されたモジュールの適用を行うため、パソコンを購入したユーザがインターネットに接続するための環境、プロバイダ契約が必要となり、インターネットが利用出来ない場合、該当する不具合を修正した最新モジュールや新たな機能追加をした最新モジュールをダウンロード出来ない。
【０００６】
また、発生した不具合に対して修正されたモジュールの有無や、新たな機能のサポート有無について、ユーザ自身が検索し判断しなければならなかった。加えて購入時に判明している既知の不具合を事前に不具合を想定して修正されたモジュールをダウンロードすることや、個々のモジュールの新たな機能のサポートの有無について調べることは、専門的知識を必要とし不可能に等しかった。
【０００７】
本発明の目的は、以上の問題点を解決する携帯電話からの情報を元にパソコンに最新モジュールを提供し、最新性を保証する自動更新システムを提供することである。
【０００８】
特開平５−２７４１２３号公報「ソフトウエアツールのインスタレーション方法」では、ネットワークを利用出来ない場合、最新場ジョンのソフトウエアをダウンロード出来ない。
【０００９】
【課題を解決するための手段】
本発明第一の自動更新システムは、ソフトウエアモジュールがあらかじめインストールされているパーソナルコンピュータと携帯電話と最新ソフトウエアモジュール提供センターとをネットワークにより接続したソフトウエアモジュールの自動更新システムであって、
前記携帯電話は前記最新ソフトウエアモジュール提供センターに対して前記パーソナルコンピュータの装置型番と装置号機と前記パーソナルコンピュータの前記ネットワーク上での番号を送信し、前記最新ソフトウエアモジュール提供センターは、前記パーソナルコンピュータの装置型番と装置号機と出荷時点でパーソナルコンピュータにインストールしたソフトウエアモジュールのバージョン情報を格納する出荷装置データベースと、メーカが出荷するパーソナルコンピュータにインストールされる最新のソフトウェアモジュールのバージョン情報を記録する最新モジュールデータベースを有し、前記携帯電話から前記装置型番と前記装置号機を受信すると出荷時点の前記ソフトウエアモジュールのバージョンを特定し、最新モジュールデータベースのバージョンと比較して必要により最新バージョンのソフトウエアモジュールを前記番号へ送信し、前記パーソナルコンピュータ内の前記ソフトウエアモジュールを前記最新バージョンのソフトウエアモジュールに更新する。
【００１０】
本発明第一の自動更新方法は、ソフトウエアモジュールがあらかじめインストールされているパーソナルコンピュータと携帯電話と最新ソフトウエアモジュール提供センターとをネットワークにより接続したソフトウエアモジュールの自動更新方法であって、
前記携帯電話が、前記最新ソフトウエアモジュール提供センターに対して前記パーソナルコンピュータの装置型番と装置号機と前記パーソナルコンピュータの前記ネットワーク上での番号を送信する第一のステップと、前記最新ソフトウエアモジュール提供センターが、前記装置型番と前記装置号機を受信すると前記パーソナルコンピュータの装置型番と装置号機と出荷時点でパーソナルコンピュータにインストールしたソフトウエアモジュールのバージョン情報を格納する出荷装置データベースより前記ソフトウエアモジュールのバージョンを特定する第二のステップと、メーカが出荷するパーソナルコンピュータにインストールされる最新のソフトウェアモジュールのバージョン情報を記録する最新モジュールデータベースのバージョンと比較して必要により最新バージョンのソフトウエアモジュールを前記番号へ送信する第三のステップと、前記パーソナルコンピュータ内の前記ソフトウエアモジュールを前記最新バージョンのソフトウエアモジュールに更新する第四のステップからなる。
【００１１】
本発明の最新ソフトウエアモジュール提供センターは、ソフトウエアモジュールがあらかじめインストールされているパーソナルコンピュータと携帯電話とをネットワークにより接続した最新ソフトウエアモジュール提供センターであって、
前記携帯電話から前記パーソナルコンピュータの装置型番と装置号機と前記パーソナルコンピュータの前記ネットワーク上での番号を受信する第一の手段と、前記装置型番と前記装置号機から前記パーソナルコンピュータの装置型番と装置号機と出荷時点でパーソナルコンピュータにインストールしたソフトウエアモジュールのバージョン情報を格納する出荷装置データベースにより出荷時点の前記ソフトウエアモジュールのバージョンを特定する第二の手段と、メーカが出荷するパーソナルコンピュータにインストールされる最新のソフトウェアモジュールのバージョン情報を記録する最新モジュールデータベースのバージョンと比較して必要により最新バージョンのソフトウエアモジュールを前記番号へ送信する第三の手段と、前記パーソナルコンピュータ内の前記ソフトウエアモジュールを前記最新バージョンのソフトウエアモジュールに更新する第四の手段からなる。
【００１２】
本発明第二の自動更新方法は、ソフトウエアモジュールがあらかじめインストールされているパーソナルコンピュータと携帯電話と最新ソフトウエアモジュール提供センターをネットワークにより接続したシステムにおける前記ソフトウエアモジュールの自動更新方法であって、
前記最新ソフトウエアモジュール提供センターが、前記携帯電話から前記パーソナルコンピュータの装置型番と装置号機と前記パーソナルコンピュータの前記ネットワーク上での番号を受信する第一のステップと、前記装置型番と前記装置号機から前記パーソナルコンピュータの装置型番と装置号機と出荷時点でパーソナルコンピュータにインストールしたソフトウエアモジュールのバージョン情報を格納する出荷装置データベースにより出荷時点の前記ソフトウエアモジュールのバージョンを特定する第二のステップと、メーカが出荷するパーソナルコンピュータにインストールされる最新のソフトウェアモジュールのバージョン情報を記録する最新モジュールデータベースのバージョンと比較して必要により最新バージョンのソフトウエアモジュールを前記番号へ送信する第三のステップと、前記パーソナルコンピュータ内の前記ソフトウエアモジュールを前記最新バージョンのソフトウエアモジュールに更新する第四のステップからなる。
【００１３】
本発明の自動更新プログラムは、ソフトウエアモジュールがあらかじめインストールされているパーソナルコンピュータと携帯電話と最新ソフトウエアモジュール提供センターをネットワークにより接続したシステムにおける前記ソフトウエアモジュールの自動更新プログラムであって、
前記携帯電話から前記パーソナルコンピュータの装置型番と装置号機と前記パーソナルコンピュータの前記ネットワーク上での番号を受信する第一の処理と、前記装置型番と前記装置号機から前記パーソナルコンピュータの装置型番と装置号機と出荷時点でパーソナルコンピュータにインストールしたソフトウエアモジュールのバージョン情報を格納する出荷装置データベースにより出荷時点の前記ソフトウエアモジュールのバージョンを特定する第二の処理と、メーカが出荷するパーソナルコンピュータにインストールされる最新のソフトウェアモジュールのバージョン情報を記録する最新モジュールデータベースのバージョンと比較して必要により最新バージョンのソフトウエアモジュールを前記番号へ送信する第三の処理からなる。
【００１５】
【発明の実施の形態】
まず、本発明の概要について説明する。本発明のパーソナルコンピュータ（以下「パソコン」と称す）がメーカから出荷されてからユーザの手元に届くまでに判明したソフトウェアの不具合を修正したり、そのソフトウェアの新たな機能をサポートする最新モジュールを別途保有する携帯端末３０のメールから送信される情報を元にネットワークを介して、前記パソコン１０へ自動的にインストールするシステムである。
【００１６】
次に、本発明の実施の形態について図面を参照して詳細に説明する。
【００１７】
本発明の実施の形態の構成について図面を参照して説明する。図１は、本発明実施の形態の自動更新システムの構成を示すブロック図である。図１を参照すると、パソコンの購入時にインストールされている出荷時のソフトウェアの最新性を携帯端末３０を利用して保証する自動更新システムは、パソコン１０と最新モジュール提供センター２０と携帯端末３０とこれらを相互に接続する通信ネットワーク１００から構成される。
【００１８】
図２は、本発明実施の形態のパソコン１０の構成を示すブロック図である。図２を参照すると、パソコン１０は、モデム１１とモデム１１を介して接続される通信ネットワーク１００から構成される。
図３は、本発明実施の形態の最新モジュール提供センター２０の構成を示すブロック図である。図３を参照すると、最新モジュール提供センター２０は、中央処理装置２１と周辺装置２２とそれに記憶される出荷装置データベース２３と最新モジュールデータベース２４と最新モジュール群２５とモデム２６とモデム２６を介して接続される通信ネットワーク１００から構成される。
【００１９】
パソコン１０は一般に市販されるパーソナルコンピュータである。パソコン１０はオペレーティングシステムと付属アプリケーションソフトウェアとして、表計算ソフトやワープロ機能を持ったソフト等をメーカがインストールして出荷している製品で、通信回線を通じデータ通信可能な回線切り替え装置及び、変復調装置の機能を有するモデム１１を内蔵している。
【００２０】
パソコン１０はモデム１１を介し加入回線、ＩＮＳ回線もしくは、携帯電話等のデータ通信網であるネットワーク１００と接続され、インストールされているオペレーティングシステムの機能により、遠隔地のパソコン１０およびホストコンピュータとデータ通信が可能である。モデム１１は加入回線もしくは、ＩＮＳ回線に接続され、その回線は固有の電話番号を持つ。
【００２１】
最新モジュール提供センター２０はメーカが所有するホストコンピュータである。最新モジュール提供センター２０はプログラムを処理する中央処理装置２１とメーカが出荷するパソコン１０の１台１台の装置型番、装置号機及び、それにインストールされたソフトウェアのバージョン情報を記録する出荷装置データベース２３とメーカが出荷するパソコン１０にインストールされているソフトウェアの最新モジュールのバージョン情報を記録する最新モジュールデータベース２４と個々のソフトウェアの最新モジュールを記録する最新モジュール群２５とそれらの情報を記憶する周辺装置２２を有している。最新モジュール提供センター２０は自動発信可能な回線切り替え装置および変復調装置の機能を有するモデム２６を介しネットワーク１００と接続され、インストールされているオペレーティングシステムの機能により、遠隔地のパソコンおよびホストコンピュータとデータ通信やメール送受信が可能である。
【００２２】
携帯端末３０は携帯電話である。携帯端末３０は通話機能の他に、通信ネットワーク１００を介してメール送受信の機能を有する。
【００２３】
図1、２及び３において、出荷されたパソコン１０は予めインストールされているオペレーティングシステム及び付属アプリケーションソフトが、出荷時点からユーザの手元に届く流通の過程で、ある程度の期間を要するために出荷時点では判明していなかったソフトウェアの不具合や新たな機能の追加によりそのソフトウェアを構成するモジュールを修正する必要が発生する事態が生じる。
【００２４】
この場合、パソコン１０を購入したユーザは、別途保有する携帯端末３０により加入回線、ＩＮＳ回線もしくは、携帯電話等のデータ通信網であるネットワーク１００を介してパソコン１０の固有情報である、装置型名、装置号機、並びにパソコン１０が内蔵する回線切り替え装置および変復調装置の機能を持ったモデム１１がネットワーク１００と接続された回線の電話番号の情報をホストコンピュータである最新モジュール提供センター２０へ送信する。
【００２５】
最新モジュール提供センター２０では、周辺装置２２に出荷時点で記録したパソコン１０にインストールしたソフトウェアのバージョン情報を格納する出荷装置データベース２３と該ソフトウェアの最新モジュールバージョン情報を記録する最新モジュールデータベース２４との比較からアップデートすべきモジュールを抽出し、最新モジュール群２５から読み出し、自動発信可能な回線切り替え装置および変復調装置の機能を持ったモデム２６から固有情報で得た電話番号をコールすることによりネットワーク１００を介して、パソコン１０と接続し、最新モジュールをパソコン１０へ適用する。
【００２６】
次に図1〜９を参照して本実施例の動作について詳細に説明する。図４は、本発明実施の形態のパソコン１０のマニュアルのお客様へのお願いを示す文書である。図５は、本発明実施の形態のパソコン１０の銘板を示す図である。図６は、本発明実施の形態のパソコン１０にインストールされたソフトウェアの各モジュールのバージョン情報を示す図である。図７は、本発明実施の形態のパソコン１０にインストールされたソフトウェアの最新モジュールのバージョン情報を示す図である。図８は、本発明実施の形態のパソコン１０にインストールされたソフトウェアの更新が必要なモジュールを示す図である。図９は、本発明実施の形態の自動更新方法の動作を示すフローチャートである。
【００２７】
図９において、ユーザは購入したパソコン１０に添付された図４に示すマニュアルを元にパソコン１０に貼り付けられた図５に示す装置銘版の装置型名、装置号機及びパソコン１０が内蔵するモデム１１に接続された加入回線もしくは、ＩＮＳ回線の電話番号をユーザが所有する携帯端末３０のメール機能を使用して図４のマニュアルに記載されているメールの送信先へその情報を送信する（ステップＡ１）。
【００２８】
最新モジュール提供センター２０には、携帯端末３０から送信されたメールがネットワーク１００、モデム２６を介して中央処理装置２１へ送られる。送られた図５に示す前記装置型番及び製造番号を元に周辺装置２２に記憶された出荷装置データベース２３よりパソコン１０にインストールされたソフトウェアの各モジュールのバージョン情報が自動的に抽出される。抽出されるバージョン情報の一例は図６の形式となる（ステップＡ２）。
【００２９】
最新モジュール提供センター２０は抽出されたバージョン情報と周辺装置２２に記憶された最新モジュールデータベース２４に格納された図７の形式のソフトウェアの最新モジュールのバージョン情報とを比較し、パソコン１０にインストールされているソフトウェアのモジュールで最新バージョンの方が高いソフトウェアを抽出する。すなわち図６の情報と図７の情報から同一のモジュールであり、かつ最新モジュールのバージョン情報の数値が高いものを抽出する。抽出された情報の一例は図８の形式となる。
【００３０】
各モジュールは修正される度にバージョン情報の数値が高くなり、常に最新モジュールは一番数値が高くなるように管理されている。
【００３１】
たとえば、図６から項番“１”のソフトウェア名称“オペレーティングシステム”のモジュール名称“ｋｎｌ３２．ｅｘｅ”がパソコン１０の出荷時にインストールされたバージョンが“９５．０６．０００”と読み取れる。図７から“ｋｎｌ３２．ｅｘｅ”の最新バージョン情報が“９５．０６．０５０”と読み取れ、最新バージョンの方が数値が高く、“ｋｎｌ３２．ｅｘｅ”のモジュールはパソコン１０へ適用が必要と判断できる。そのため、図８の項番“１”として“ｋｎｌ３２．ｅｘｅ”は必要モジュールとしてリストアップされる。一方図６および、図７の項番“３”のソフトウェア名称“オペレーティングシステム”のモジュール名称“ｎｍｍ３２．ｅｘｅ”はバージョン情報がどちらも“９５．０５．０００”と等しいため、図８にはリストアップされず、パソコン１０へは変更は適用されない（ステップＡ３）。
【００３２】
最新モジュール提供センター２０は抽出された情報（図８の形式のもの）を元に送信すべきモジュールを最新モジュールが記憶されている周辺装置２２の最新モジュール群２５より読み出す（ステップＡ４）。最新モジュール提供センター２０は読み出した複数の最新モジュールを自己解凍形式に圧縮し１つのファイルを作成する（ステップＡ５）。
【００３３】
最新モジュール提供センター２０はステップＡ１にて携帯端末３０から送信されたパソコン１０の内蔵されたモデム１１に接続された回線の電話番号をモデム２６使用してコールしネットワーク１００を介してパソコン１０とデータ通信を行う。データ通信によりステップＡ５で作成したファイルをパソコン１０へ送信する（ステップＡ６）。
【００３４】
最新モジュール提供センター２０はファイルの送信が完了すると、そのファイルの実行をパソコン１０へ通知し、パソコン１０は受信したファイルを実行する。実行することにより最新モジュール提供センター２０で圧縮されたファイルは解凍され、パソコン１０に格納されたモジュールに上書きされる（ステップＡ７）。
【００３５】
上述の各ステップはコンピュータのプログラムにより実現することができる。図１０は、本発明実施の形態の自動更新方法をコンピュータ６０に実行させるプログラムが記録された記録媒体６１とそのプログラムを実行するコンピュータ６０を示す図である。
【００３６】
【発明の効果】
第１の効果は、ユーザがパソコンを購入し使用を開始する直前までに修正された最新モジュールをその場で適用できる点である。すなわち、出荷されるパソコンは流通経路を経る間にある程度の期間を有するためにパソコンを出荷してからユーザの手元に届くまでにインストールされたソフトウェアの不具合が判明している場合や新たな機能追加によりモジュールの修正がされていることが度々発生する。その最新モジュールをホストコンピュータ主導によりパソコンに適用することで既知問題の発生を未然に防ぐことができるためその効果は絶大である。
【００３７】
その理由は、ホストコンピュータに出荷装置にインストールされたソフトウェアのバージョン情報のデータベースと最新のソフトウェアのバージョン情報のデータベースを持つことにより、出荷された1台1台のパソコンにどのモジュールの修正が必要か判断出来る仕組みを持ち、必要なモジュールを電話回線を通じてホストコンピュータからパソコンへダウンロードできるからである。
【００３８】
第２の効果は、一般に最新モジュールのユーザへの提供はメーカのホームページから行うが、その場合ホームページを見るためのインターネット環境が必要であるがインターネットに接続する機能を有していないパソコンにおいても電話回線を介して修正モジュールの適用が出来る点である。
【００３９】
その理由は、携帯電話からそのパソコンの固有情報、装置型番、装置号機、そのパソコンの内蔵されたモデムの接続された加入回線もしくは、ＩＮＳ回線の電話番号をメーカのホストコンピュータへ送信することにより、ホストコンピュータからその電話をコールすることで、ホストコンピュータとパソコンは回線及びモデムを介して接続され、データ通信が可能となるためである。
【図面の簡単な説明】
【図１】本発明実施の形態の自動更新システムの構成を示すブロック図である。
【図２】本発明実施の形態のパソコン１０の構成を示すブロック図である。
【図３】本発明実施の形態の最新モジュール提供センター２０の構成を示すブロック図である。
【図４】本発明実施の形態のパソコン１０のマニュアルのお客様へのお願いを示す文書である。
【図５】本発明実施の形態のパソコン１０の銘板を示す図である。
【図６】本発明実施の形態のパソコン１０にインストールされたソフトウェアの各モジュールのバージョン情報を示す図である。
【図７】本発明実施の形態のパソコン１０にインストールされたソフトウェアの最新モジュールのバージョン情報を示す図である。
【図８】本発明実施の形態のパソコン１０にインストールされたソフトウェアの更新が必要なモジュールを示す図である。
【図９】本発明実施の形態の自動更新方法の動作を示すフローチャートである。
【図１０】本発明実施の形態の自動更新方法をコンピュータ６０に実行させるプログラムが記録された記録媒体６１とそのプログラムを実行するコンピュータ６０を示す図である。
【図１１】従来のソフトウェアの最新モジュールの適用システムの構成を示すブロック図である。
【符号の説明】
１０    パソコン
１１    モデム
２０    最新モジュール提供センター
２１    中央処理装置
２２    周辺装置
２３    出荷装置データベース
２４    最新モジュールデータベース
２５    最新モジュール群
２６    モデム
３０    携帯端末
６０    コンピュータ
６１    記録媒体
１００    ネットワーク
１１０    パソコン
１２０    メーカのＷＥＢサーバ
２００    ネットワーク
【図１】
0003845310.tif 000002
【図２】
0003845310.tif 000003
【図３】
0003845310.tif 000004
【図４】
0003845310.tif 000005
【図５】
0003845310.tif 000006
【図６】
0003845310.tif 000007
【図７】
0003845310.tif 000008
【図８】
0003845310.tif 000009
【図９】
0003845310.tif 000010
【図１０】
0003845310.tif 000011
【図１１】
0003845310.tif 000012